(57)【特許請求の範囲】
【請求項１】
電柱上の高所に設置された開閉器のスイッチレバーに上端が係止され下方に垂下する２本の操作用ロープの下端の操作部を収容、施錠して無権限者による操作用ロープの操作を不可能にするロック装置であって、
前面に開口部を有し内部に前記操作用ロープの操作部を収容できるように電柱上に固定されるケース本体と、このケース本体にヒンジ結合され開口部を開閉自在の蓋体と、この蓋体上に固着され蓋体を閉鎖位置でケース本体に錠止するための錠前とを具備するケースと、
前記操作用ロープの操作部を前記ケース内に拘束し、操作用ロープの引き下げ操作を阻止するようにケース内に設けられるロープ固定手段と、を具備し、
前記ケース本体は、閉鎖状態の前記蓋体と間に前記操作用ロープを挿通させる挿通孔を形成する左右一対の凹部を上縁部に有し、
前記ロープ固定手段は、ケース本体の背板部から前方へ起立するように上下に相対向して一対設けられそれぞれ左右一対のロープ受け入れ凹部を前面側に有するガイド板と、これら一対のガイド板間の中央に位置してケース本体の背板部から前方へ起立するボルトと、このボルトに螺合するナットを回転自在に保持しボルトへのナットの締め込みにより上下のガイド板間に通る前記操作用ロープをガイド板に押さえ付ける押え板とを具備することを特徴とする開閉器用操作用ロープのロック装置。
【発明の詳細な説明】
【技術分野】
【０００１】
本発明は、配電線路上の設備として電柱上に設けられる開閉器を地上位置から開閉操作するために開閉器の切替レバーにつながる操作ロープの下端部を収容し、管理者以外の操作を阻止するロック装置に関する。
【背景技術】
【０００２】
電柱上の開閉器は、電気事業者等の管理者のみが開閉操作を行い、これら以外の無権限者の操作による重大事故を防止するため、特定の者以外の操作をできないように措置を講ずる必要がある。例えば引用文献１に記載の操作ロープ用固定解除装置は、操作ロープの下端部を収容するカバーケースの正面板下端部に切欠き部を有し、カバーケース内に上下に移動可能に支持されたスライド部材と、このスライド部材に一端が枢支され、中間部がカバーケースに長手方向に移動可能に枢支され、他端がカバーケースの側面に接近，離反することにより他端で操作ロープをカバーケースに固定，解放する保持部材と、正面板の切欠き部内で専用操作器具の干渉を回避するように、スライド部材に螺合しない上方付勢位置とスライド部材に螺合する引き下げ位置との間で移動可能にスライド部材に係合する固定ネジとを具備する。この操作ロープ用固定解除装置においては、スライド部材に係合する固定ネジを専用操作器具で引き下げて固定ネジを回転させることよりスライド部材を下方へ移動させて、保持部材を操作ロープから解放するものである。
【先行技術文献】
【特許文献】
【０００３】
【特許文献１】特開2006-031958号公報
【発明の概要】
【発明が解決しようとする課題】
【０００４】
上記従来の装置においては、専用操作器具に格別な特殊構造を必要とせず、先端にフックを設けた棒材を用いて容易に解除操作することをができるので、自由になった操作ロープを管理者以外の無権限者が容易に開閉器を操作することができてしまい、重大事故に繋がる可能性がある。
そこで本発明は、開閉器の操作ロープを収容して施錠し、無権限者による操作ロープでの開閉器の操作を有効に防止するロック装置を提供する。
【課題を解決するための手段】
【０００５】
本発明の開閉器用操作ロープのロック装置においては、電柱上に設置された高所の開閉器を操作するために開閉器のスイッチレバーに上端が係止されて下方位置において下端操作部を引き下げることにより切替操作する操作用ロープの当該操作部を収容して無権限者の操作を不可能にする一方、当該操作部を解放して管理者の操作を許容するもために、操作ロープＲを受け入れるための挿通孔７ａを有し、内部に操作ロープＲの操作部を収容して蓋部４を閉鎖する一方、開放して操作ロープＲの操作部を取り出し可能で、かつ電柱に着脱可能なケース２を具備させ、このケース２には、その内部に操作ロープＲの操作部をケース２内に拘束し、操作ロープＲの引き下げ操作を阻止する一方、その開放状態で操作ロープの操作部を解放してその引き下げ操作を可能にするロープ固定手段８と、ケース２の蓋部４に固着され、本体に設けられた受け金１４に係合して蓋部４の開放を阻止する止め金１８ａを受け金１４との係合位置で施錠してケース２を錠止する錠前１８とを具備させた。
ロープ固定手段８は、ケース２内に上下方向に配置されるロープＲの異なる上下位置で受け入れる凹部８ａを有する対向一対のガイド板８と、これらのガイド板８，８間の中央に立設されたボルト１１と、このボルトに螺合するナット１２に回転自在に結合し、ボルト１１とナット１２の締め込みによりロープＲをガイド板８，８間に押え込む押え板とを具備させた。
【発明の効果】
【０００６】
本発明においては、開閉器の操作ロープの下端部を収容して施錠するため、無権限者の操作ロープへのアクセスを有効に阻止し、開閉器の操作による事故を確実に防止することができる。
【図面の簡単な説明】
【０００７】
【図１】本発明に係る開閉器用操作ロープのロック装置の斜視図である。
【図２】図１のロック装置の正面図である。
【図３】図１のロック装置の側面図である。
【図４】図１のロック装置の平面図である。
【図５】開放状態のロック装置の斜視図である。
【図６】図５のロック装置の正面図である。
【図７】図２のVII-VII断面図である。
【図８】図２のVIII-VIII断面図である。
【発明を実施するための形態】
【０００８】
本発明の実施の一形態を図面を参照して説明する。
図１ないし図４において、ロック装置１は、上端が図示しない柱上開閉器のスイッチレバーに係止され、下端部のグリップＲ１を持って開閉操作するための操作ロープＲを収容し固定するものである。ロック装置１は、無権限者が地上から容易にアクセスするのを避けるため、手の届き難い高さの電柱側面に設置される。
【０００９】
ロック装置１は、ステンレス製の取付バンド２０で電柱側面に固定されるケース２を備えている。ケース２はアルミ合金製で、前方に開口した本体３に側部の蝶番５により蓋部４が開閉自在に蝶着されている。蝶番５の本体３側の係止環５ａは本体の両側部に設けられており、設置位置の周辺環境に応じて蓋部４の開く方向を左右変更することができる。
【００１０】
本体３の背面四隅部には取付バンド２０を通す挿通孔６ａを有する突片６を備える。本体３の天板７には、２本の操作ロープＲを受け入れるために蓋部４が嵌合した閉鎖状態で蓋部４の縁に開口をふさがれて挿通孔を構成する凹部７ａが横方向に間隔を置いて一対設けられている。
【００１１】
図５ないし図８に示すように、本体３内の上部には、上下一対の水平のガイド板９と押え部材１０とを具備するロープ固定機構８が設けられている。ガイド板９は、上下に間隔を置いて対向するように本体３の背板３ａに水平に固着されている。ガイド板９には、凹部７ａの対応位置に一対の凹部９ａと、凹部９ａの互い違いの一方について片側の縁を延長したストッパ片９ｂとを有する。押え部材１０は、ガイド板９，９間の中間部に背板３ａに垂直に固着されたねじ棒１１と、このねじ棒１１に螺合するナット１２と、ナット１２の一端が軸周りに相対回転自在に結合され、中央をねじ棒に貫通される断面コ字状の押え板１３とを具備する。押え板１３は、ガイド板９，９間に嵌合すると、ナット１２との共回りを阻止される。ねじ棒１１上にナット１２を締め込むと、押え板１３と共に背板３ａに接近する一方、凹部９ａを押え板１３が狭めていくので、操作ロープＲが凹部９ａと押え板１３の間に拘束され固定される。
【００１２】
本体３内の両側部には、背板３ａから前方へ立ち上がって先端間に受け金１４がねじ止めされる支持片１５が上下一対それぞれ設けられている。受け金１４は、蓋部４の取付位置に応じて掛け金１６を左右位置に変更できるように、上下の支持片１５の端部にネジ止めされる。本体３内の中央部には、取り込まれた二本の操作ロープＲ及びその末端のグリップＲ１をそれぞれ収容する収容部１７を仕切る仕切り片１７ａを有する。仕切り片１７ａの両端部には、必要に応じてロープＲを巻き付ける棒体が背板３ａに立設されている。
【００１３】
蓋部４の前面には、蓋部４を本体３に錠止するための錠前１８が固着される。錠前１８は、軸線を前後方向に向けて設けられ、キーの操作により、本体３の受け金１４の背部に張り出す止め金１８ａが結合するロータを解錠位置と施錠位置との間で正逆回転させるシリンダー錠である。キーは、施錠位置においてのみ抜き差しできるようになっている。錠前１８にはその鍵穴を開閉する防塵キャップが蓋部４の前面に沿って回転可能に枢着されている。止め金１８ａは、シリンダー錠３のロータと共に回転し、ロータの解錠位置において受け金１４から離れた解放位置にあり、蓋部４の開放を許容する一方、ロータの施錠位置において嵌合状態の本体３の受け金１４の背部に位置しその開放を阻止する。
【００１４】
このロック装置１においては、開閉器が設置された電柱に取付バンドで取り付けてから、ケース２の本体３の凹部７ａ及びガイド板９の凹部９ａに操作ロープＲを張った状態で挿入して、押え部材１０をガイド板９間に固定する。押え部材１０は、ねじ棒１１にナット１２を螺合させ締め込むと、ナット１２と共に押え板１３が本体３の背板３ａに接近するので、操作ロープＲが凹部９ａ内でガイド板９と押え板１３に挟持され固定される。この状態で操作ロープＲの引き下げ操作が不可能になって、開閉器を操作できない。操作ロープＲの端部を収容部１７に配置して、蓋部４を本体３に被せ、キーを回転操作すると、止め金１８ａが本体３の受け金１４の背部に張り出し蓋部４を施錠する。これにより、キーを保持する管理者以外の無権限者が操作ロープＲにアクセスすることができない。
【符号の説明】
【００１５】
１    ロック装置
２    ケース
３    本体
４    蓋部
７ａ  凹部
８    ロープ固定機構
９    ガイド板
９ａ  凹部
１０    押え部材
１１    ねじ棒
１２    ナット
１３    押え板
１４    受け金
１８    錠前
１８ａ  止め金
２０    取付バンド
Ｒ    操作ロープ
【図１】
0005210422.tif 000002
【図２】
0005210422.tif 000003
【図３】
0005210422.tif 000004
【図４】
0005210422.tif 000005
【図５】
0005210422.tif 000006
【図６】
0005210422.tif 000007
【図７】
0005210422.tif 000008
【図８】
0005210422.tif 000009